(57)【要約】【課題】すべての非接触タグを読み取ったことを確認することができるが、あとどれくらいの非接触タグが読み取られていないのかを確認する手段を提供する。【解決手段】読み取り部１１、演算部１４、入力部１５、報知部１７、通信部１８が読取り部分を構成し、通信部１３と制御部１６とで本体部分を構成し、両者は物理的に分離された構成となっている。演算部１４が演算する内容は、読み取り完了率であってもよいし、読み取り残数であってもよいし、読み取り確率であってもよいし、その組み合わせであってもよい。【選択図】  図１  
2005267134.tif 000002
【特許請求の範囲】
【請求項１】
非接触タグの読み取りを行う読み取り部と、前記読み取り部と通信を行う本体とからなる非接触タグリーダライタであって、前記本体は、前記読み取り部と通信を行う通信部と、読み取る非接触タグの数量を入力する入力部と、前記読み取り部で読み取った非接触タグの数量と前記入力部に入力された非接触タグの数量とから非接触タグの読み取り状態を求める演算部とを備え、前記読み取り部は、手持ち式で移動可能であり、前記リーダライタ本体と通信を行う通信部と、前記通信部を介して受信した前記演算部で求めた読み取り状態を報知する報知部とを備えた非接触タグリーダライタ。
【請求項２】
非接触タグの読み取りを行う読み取り部と、前記読み取り部と通信を行う本体とからなる非接触タグリーダライタであって、前記本体は、前記読み取り部と通信を行う通信部とを備え、前記読み取り部は、手持ち式で移動可能であり、前記リーダライタ本体と通信を行う通信部と、前記通信部を介して受信した前記演算部で求めた読み取り状態を報知する報知部と、読み取る非接触タグの数量を入力する入力部と、前記読み取り部で読み取った非接触タグの数量と前記入力部に入力された非接触タグの数量とから非接触タグの読み取り状態を求める演算部とを備えた非接触タグリーダライタ。
【請求項３】
非接触タグの読み取りを行う読み取り部と、前記読み取り部と通信を行うリーダライタ本体とからなる非接触タグリーダライタであって、前記リーダライタ本体は、前記読み取り部と通信を行う第１の通信部と、非接触タグの読取数を有する外部機器との通信を行う第２の通信部と、前記読み取り部で読み取った非接触タグの数量と前記第２の通信部を介して前記外部機器から取得した非接触タグの読取数量とから非接触タグの読み取り状態を求める演算部とを備え、前記読み取り部は、手持ち式で移動可能であり、前記リーダライタ本体と通信を行う通信部と、前記通信部を介して受信した前記演算部で求めた読み取り状態を報知する報知部とを備えた非接触タグリーダライタ。
【請求項４】
非接触タグの読み取りを行う読み取り部と、読み取る非接触タグの数量を入力する入力部と、前記読み取り部で読み取った非接触タグの数量と前記入力部に入力された非接触タグの数量とから非接触タグの読み取り状態を求める演算部と、前記演算部で求めた読み取り状態を報知する報知部とを備えた非接触タグリーダライタ。
【請求項５】
非接触タグの読取数を有する外部機器との通信を行う通信部と、
非接触タグの読み取りを行う読み取り部と、前記読み取り部で読み取った非接触タグの数量と前記通信部を介して前記外部機器から取得した非接触タグの読取数量とから非接触タグの読み取り状態を求める演算部と、前記演算部で求めた読み取り状態を報知する報知部とを備えた非接触タグリーダライタ。
【請求項６】
携帯可能である請求項４または５記載の非接触タグリーダライタ。
【請求項７】
非接触タグの読み取りを行う読み取り部は、前記非接触タグと電波により通信を行うアンテナである請求項１から６のいずれか１項に記載の非接触タグリーダライタ。
【請求項８】
非接触タグの読み取りを行う読み取り部は、前記非接触タグと電磁誘導により通信を行うアンテナである請求項１から６のいずれか１項に記載の非接触タグリーダライタ。
【請求項９】
報知部を液晶表示装置とした請求項１から８のいずれか１項に記載の非接触タグリーダライタ。
【請求項１０】
演算部は読み取る非接触タグの数量と前記読み取り部で読み取った非接触タグの数量とから読み取り完了率および／または読み取り確率を算出し、非接触タグの読み取るべき数量および／または読み取った数量および／または読み取り残数および／または読み取り確率および／または読み取り完了率およびまたは読み取り完了を表示する請求項９記載の非接触タグリーダライタ。
【請求項１１】
演算部は読み取る非接触タグの数量と前記読み取り部で読み取った非接触タグの数量とから読み取り完了率および／または読み取り確率を算出し、報知部はＬＥＤゲージであり、非接触タグの読み取るべき数量および／または読み取った数量、または読み取り確率、または読み取り完了率をレベル表示する請求項１から８のいずれか1項
に記載の非接触タグリーダライタ。
【請求項１２】
演算部は読み取る非接触タグの数量と前記読み取り部で読み取った非接触タグの数量とから読み取り完了率および／または読み取り確率を算出し、報知部はブザーであり、非接触タグの読み取った数量または読み取り残数または読み取り確率または読み取り完了をブザーの鳴動間隔の違いによって表す請求項１から８のいずれか1項に記載の非接触タグリーダライタ。
【請求項１３】
演算部は読み取る非接触タグの数量と前記読み取り部で読み取った非接触タグの数量とから読み取り完了率および／または読み取り確率を算出し、報知部は音声発生部であり、非接触タグの読み取るべき数量および／または読み取った数量および／または読み取り残数および／または読み取り確率および／または読み取り完了率および／または読み取り完了を音声で報知する請求項１から８のいずれか1項に記載の非接触タグリーダライタ。
【請求項１４】
演算部は読み取る非接触タグの数量と前記読み取り部で読み取った非接触タグの数量とから読み取り完了率および／または読み取り確率を算出し、報知部はバイブレータであり、非接触タグの読み取った数量または読み取り残数または読み取り確率または読み取り完了をバイブレータの振動間隔の違いによって表す請求項１から８のいずれか1項に記載の非接触タグリーダライタ。
【発明の詳細な説明】
【技術分野】
【０００１】
本発明は、たとえば物流管理業務、物品管理業務などの業務などにおいて、物品に設けられるタグを無線にて読み出す物品管理システムに関する。
【背景技術】
【０００２】
たとえばバーコードによる物品管理システムでは、バーコードスキャナが読取れるバーコードは、１回のスキャニングに対して必ず１枚である。その読み取りが成功したか、失敗したかの確認は容易である。
【０００３】
これに対して非接触タグを用いたシステムでは、１回の読取りで複数のタグを、同時に読取ることができる。この時、タグの読取りがうまくいかない場合、そのタグは、読み出し手段にとってはその場には存在しなかったと認識されるので、複数枚のタグの同時読取りの場合には、全枚数を読めたかどうかの確認方法が問題となる。
【０００４】
たとえば、タグの貼ってある物が、何個あるかを目視で確認する場合や、一定の籠に収納されており、ロットの数が一定である場合には、タグ全体の枚数情報を把握することができ、物の数と読取られたタグの枚数とが合わないとき、読取られなかったタグがあると判る。
しかしながら、非接触タグを有する物品管理システムにおいて、タグ全体の枚数情報が与えられていない場合には、タグの全数が正しく読取られたかどうかを読み出し手段のみで確認することが不可能であるか、もしくは著しく困難である。
【０００５】
その対策として、物品に添付された非接触タグが確実に読取られたかをチェックするため物品の重量情報を非接触タグに添付しておき、その重量情報の合計と実際の物品の重量を籠に入れて計測したものを比較することによって、全ての非接触タグが読取られたかを確認する方法や、同時に読み取られる他のタグとの関連性を示す関連情報が予め書き込まれており、その情報を基に全ての非接触タグが読み取られたかを確認する方法（特許文献１参照）が提案されている。
【特許文献１】特開２００２―９２１１４公報
【発明の開示】
【発明が解決しようとする課題】
【０００６】
しかし、これらの方法によると、非接触タグに予めなんらかの情報を書き込む必要がある。また、すべての非接触タグを読み取ったことを確認することができるが、あとどれくらいの非接触タグが読み取られていないのかを確認することが困難である。
【課題を解決するための手段】
【０００７】
本発明では、読み取るべき非接触タグの数量は入力するもしくは例えばサーバーなどの外部機器より得られるものとして、読み取った非接触タグの枚数や読み取っていない非接触タグの枚数などを物品の近くで確認することを可能にする非接触タグシステムである。
【発明の効果】
【０００８】
以上のように本発明によれば、非接触タグシステムにおいて、非接触タグの読み取り状態を報知する報知部が手元にあるので、読み取った非接触タグの数量をリアルタイムに把握することができる。また、入力部を報知部同様、手元にある構成であれば、読み取るべき非接触タグの数量を手元で入力することが可能であり、かつ読み取り結果は手元の報知
部において報知されるので、本発明の非接触タグリーダライタ利用者は、一連の動作を他の外部機器を操作もしくは確認する必要がなくなり、作業効率が向上する。
【発明を実施するための最良の形態】
【０００９】
（実施の形態１）
以下に本発明の実施の形態１を図１を用いて説明する。
【００１０】
図１は、本発明の実施の形態１の構成を表す機能ブロックズ図であり、１１は、非接触タグの読み取りを行う読み取り部、１８は、読取り部１１の読取り結果を受ける通信部、１３は、通信部１８と通信を行う通信部、１６は、通信部１３の通信結果が入力されるとともに各部の動作を制御するための制御部、
１４は、制御部１６を介して得られた情報から非接触タグの読み取り状態を求める演算部、１５は、読み取る非接触タグの数量を入力する入力部で、以上によってリーダライタ１２が構成される。このリーダライタは、読み取り部１１、通信部１８、報知部１７とから構成される読み取り専用部分と、通信部１３、演算部１４、入力部１５、制御部１６とから構成される本体とに物理的に分離された構成となっている。通信部１３と通信部１８との間は、図示しないケーブルでつながれているか、あるいは無線による通信が行われる。両者を物理的に分離独立させたのは、リーダライタ部を極力小型化することで、倉庫、店舗等における操作性を向上させるためである。なお、１９は、読み取るべき非接触タグを示す。
【００１１】
次に動作について図２に沿って説明する。まず、入力部１５より読み取るべき非接触タグの数量を入力する。次に読み取り部１１は、非接触タグ１９を読み取る。読み取ったデータは通信部１８および通信部１３を介して制御部１６に渡される。制御部１６は、非接触タグの読み取り結果を演算部１４に伝達する。演算部１４は、前記読み取り結果を基に、例えば読み取り完了率を演算する。
【００１２】
前記演算結果は、通信部１３、制御部１８を介して報知部１７に伝達される。報知部１７は、前記演算結果を報知する。読み取りを終了する場合は終了し、他の非接触タグを続けて読み取る場合は非接触タグの読み取りに戻る。
【００１３】
以上のように読み取り部に報知手段を設けることによって当該非接触タグリーダライタ利用者の手元で読み取り完了率を知ることができ、当該非接触タグリーダライタ利用者は、作業の負担を軽減することができる。
【００１４】
なお、ここで、演算部１４が演算する内容は、読み取り完了率であってもよいし、読み取り残数であってもよいし、読み取り確率であってもよいし、その組み合わせであってもよい。読み取り完了率とは、読み取り部１１で読み取ったタグの数量を入力部１５より入力された読み取るべきタグの数量によって除算して算出されるものであり、読み取り残数とは、上記数量の減算によって算出され、読み取り確率は、読み取り挑戦回数と読み取り成功回数の除算によって算出されるものである。こうすることで、当該非接触タグリーダライタ利用者の目的に合った情報を提供することができる。
【００１５】
また、報知手段１７は、液晶表示装置であってもよいし、ＬＥＤであってもよいしブザーであってもよいし、音声再生装置であってもよいし、バイブレータであってもよいし、これらの組み合わせであってもよい。また、読み取り数、読み取り完了率、読み取り残量、読み取り確率の別を表現する際には、バイブレータの振動間隔の相違によって表現することもできる。なお、読み取り率等を液晶表示装置に表示する場合は、演算部１４にて数値化してその数値をディジタルに表示すること、あるいは、グラフによるレベル表示にすることいずれも可能である。
【００１６】
また、読み取り数、読み取り完了率、読み取り残量、読み取り確率の程度をブザーの鳴る長さやバイブレータの振動間隔を、例えば読み取り完了率が１００％の場合とそうでない場合、読み取り残量が０の場合と相でない場合等によって変化させることで使用者に対し明確な判断材料を与えることも可能である。
【００１７】
さらに、読み取り数、読み取り完了率、読み取り残量、読み取り確率の程度をＬＥＤゲージで表示することで、読み取りの程度のレベル表示ができる。
【００１８】
こうすることで当該非接触タグリーダライタ利用者の目的に合った方法により利用者の手元で報知することができる。
【００１９】
また、報知手段１７による報知内容は、演算部１４による演算結果であってもよいし、読み取るべき数量であってもよいし、読み取った数量であってもよいし、その組み合わせであってもよい。こうすることで、当該非接触タグリーダライタ利用者の目的に合った情報を選択して提供することができる。
【００２０】
また、読み取り部１１は前記非接触タグ１９と電磁波伝播により通信を行うアンテナであってもよいし、電磁誘導により通信を行うアンテナであってもよいし、その他電波により通信を行うアンテナであってもよいし、その組み合わせであってもよい。
【００２１】
また、入力部１５は、１０キーでもよいし、数量情報が記録された１次元コードを読む１次元コードリーダでもよいし、数量情報が記録された非接触タグを読む非接触リーダでもよい。
【００２２】
（実施の形態２）
以下に本発明の実施の形態２を図３を用いて説明する。
【００２３】
図３は、本発明の実施の形態２の構成を表す図である。構成要素は図１と同じであるが、演算部１４および入力部１５が読み取り部１１内にあることを特徴とする。本実施の形態においては、読み取り部１１、演算部１４、入力部１５、報知部１７、通信部１８が読取り部分を構成し、通信部１３と制御部１６とで本体部分を構成し、両者は物理的に分離された構成となっている。演算部１４が演算する内容は、読み取り完了率であってもよいし、読み取り残数であってもよいし、読み取り確率であってもよいし、その組み合わせであってもよい。
【００２４】
次に動作について説明する。まず、入力部１５より読み取るべき非接触タグの数量を入力する。次に読み取り部１１は、非接触タグ１９を読み取る。読み取ったデータは通信部１８および通信部１３を介して制御部１６に渡される。制御部１６は、非接触タグの読み取り結果を通信部１３および通信部１８を介して演算部１４に伝達する。演算部１４は、前記読み取り結果を基に、例えば読み取り完了率を演算する。演算のやりかたについては実施の形態１と同様である。前記演算結果は、報知部１７に伝達される。報知部１７は、前記演算結果を報知する。
【００２５】
以上のように読み取り部に報知手段を設けることによって当該非接触タグリーダライタ利用者の手元で読み取り完了率を知ることができ、さらに入力部を読み取り部に設けることによって入力操作を手元で行うことができ、当該非接触タグリーダライタ利用者は、操作および作業における負担を軽減することができる。
【００２６】
（実施の形態３）
以下に本発明の実施の形態３を図４を用いて説明する。
【００２７】
図４は、本発明の実施の形態２の構成を表す図である。実施の形態１と同じ箇所については同じ符号を用いて説明する。
【００２８】
１は、非接触タグの読み取りを行う読み取り部、１８は、読取り部１１の読取り結果を受ける通信部、２１は、通信部１８と通信を行う通信部、１６は、通信部２１の通信結果が入力されるとともに各部の動作を制御するための制御部、
１４は、制御部１６を介して得られた情報から非接触タグの読み取り状態を求める演算部、２２は外部機器２３との間の情報通信を行う通信部で、以上によってリーダライタ１２が構成される。このリーダライタは、読み取り部１１、通信部１８、報知部１７とから構成される読み取り専用部分と、通信部２１、２２、演算部１４、制御部１６とから構成される本体とに物理的に分離された構成となっている。通信部１３と通信部１８との間は、図示しないケーブルでつながれているか、あるいは無線による通信が行われる。
【００２９】
両者を物理的に分離独立させたのは、リーダライタ部を極力小型化することで、倉庫、店舗等における操作性を向上させるためである。２３はパーソナルコンピュータ等の外部機器でこの外部機器２３には図示しない入力部があり、当該入力部から読取るべき非接触タグの数量等を入力できるようになっている。演算部１４が演算する内容は、読み取り完了率であってもよいし、読み取り残数であってもよいし、読み取り確率であってもよいし、その組み合わせであってもよい。
【００３０】
次に動作について図５に沿って説明する。動作は実施の形態１と同じである。ただし、実施の形態１において入力部１５より入力していた読み取るべき非接触タグの数量を外部機器２３より得るということを特徴とする。
【００３１】
以上のように読み取るべき非接触タグの数量を外部機器より得ることにより、当該非接触タグリーダライタ利用者は、非接触タグの数量を入力する作業を低減することができる。
【００３２】
なお、演算部１４は、リーダライタ１２内にあってもよいし、読み取り部１１内にあってもよい。演算部１４が読み取り部１１内にあった場合は本発明の実施の形態２と同じであり、実施の形態２において入力部１５より入力していた読み取るべき非接触タグの数量を外部機器２３より得るということを特長とする。
【００３３】
（実施の形態４）
以下に本発明の実施の形態４を図６を用いて説明する。図６は、本発明の実施の形態４の構成を表す図である。実施の形態１と同じ箇所については同じ符号を用いて説明する。
【００３４】
１１は、非接触タグの読み取りを行う読み取り部、
１２は、リーダライタ本体、１４は、読み取る非接触タグの数量を入力する入力部、１５は、非接触タグの読み取り状態を求める演算部、１６は、非接触タグの読みとりを制御する制御部、１７は、前記演算部で求めた読み取り状態を報知する報知部、１９は、読み取るべき非接触タグ、を示す。
【００３５】
次に動作について説明する。演算部１５が演算する内容は、読み取り完了率であってもよいし、読み取り残数であってもよいし、読み取り確率であってもよいし、その組み合わせであってもよい。
【００３６】
動作は実施の形態１と同じである。ただし、読み取り部１１をリーダライタ１２に内蔵
し、通信部１３と通信部１８を用いた通信を行う動作を省略したものである。
【００３７】
以上のように読み取り部をリーダライタに内蔵することによってリーダライタ内の処理を簡略化することができる。
【００３８】
また、リーダライタ１２は、据え置き型であってもよいし、携帯型であってもよい。
【００３９】
（実施の形態５）
以下に本発明の実施の形態５を図７を用いて説明する。
【００４０】
図５は、本発明の実施の形態５の構成を表す図である。前記実施の形態２と同じ箇所については同じ符号を用いて説明する。
【００４１】
１１は、非接触タグの読み取りを行う読み取り部、１４は、非接触タグの読み取り状態を求める演算部、１６は、非接触タグの読み取りを制御する制御部、１７は、前記演算部で求めた読み取り状態を報知する報知部、２３は、ＰＣなどの外部機器、２２は、前記外部機器と通信を行う通信部である。読み取り部１１、演算部１４、制御部１６、報知部１７、通信部２２とでリーダライタ１２を構成している。演算部１４が演算する内容は、読み取り完了率であってもよいし、読み取り残数であってもよいし、読み取り確率であってもよいし、その組み合わせであってもよい。２３はパーソナルコンピュータ等の外部機器でこの外部機器２３には図示しない入力部があり、当該入力部から読取るべき非接触タグの数量等を入力できるようになっている。１９は、読み取るべき非接触タグを示す。
【００４２】
次に動作について説明する。動作は実施の形態３と同じである。ただし、読み取り部１１をリーダライタ１２に内蔵し、通信部１３と通信部１８を用いた通信を行う動作を省略したものである。
【００４３】
以上のように読み取り部をリーダライタに内蔵することによってリーダライタ内の処理を簡略化することができる。
【００４４】
また、リーダライタ１２は、据え置き型であってもよいし、携帯型であってもよい。
【産業上の利用可能性】
【００４５】
本発明は、非接触タグと非接触タグリーダライタを用いた物流、出庫、在庫、入庫管理をはじめとした、物品の管理に利用することができる。
【図面の簡単な説明】
【００４６】
【図１】本発明の実施の形態１を説明する機能ブロック図
【図２】本発明の実施の形態１および２における演算部の演算フローを示すフローチャート
【図３】本発明の実施の形態２を説明する機能ブロック図
【図４】本発明の実施の形態３を説明する機能ブロック図
【図５】本発明の実施の形態３における演算部の演算フローを示すフローチャート
【図６】本発明の実施の形態４を説明する機能ブロック図
【図７】本発明の実施の形態５を説明する機能ブロック図
【符号の説明】
【００４７】
１１   読み取り部
１２   リーダライタ
１３   通信部
１４   演算部
１５   入力部
１６   制御部
１７   報知部
１８   通信部
１９   非接触タグ
２１   通信部
２２   通信部
２３   外部機器
【図１】
2005267134.tif 000003
【図２】
2005267134.tif 000004
【図３】
2005267134.tif 000005
【図４】
2005267134.tif 000006
【図５】
2005267134.tif 000007
【図６】
2005267134.tif 000008
【図７】
2005267134.tif 000009